【手続補正書】
【提出日】平成19年3月26日(2007.3.26)
【手続補正１】
【補正対象書類名】明細書
【補正対象項目名】００９１
【補正方法】変更
【補正の内容】
【００９１】
バリュー発行装置１４は、親機１２−２のバリューを親機１２−１に移動させ、親機１２−１にバリューの振込みが行われたことを表す振込み通知を発行する。親機１２−１は、バリュー発行装置１４から振り込み通知を受信すると、親機１２−２にリソースを利用する利用権を発行する。親機１２−２は、親機１２−１から利用権が発行されると、その利用権を移動端末装置１１−２に送信する。移動端末装置１１−２は、その利用権を親機１２−２に提示し、リソースを要求する。親機１２−２は、移動端末装置１１−２から利用権を提示された場合、リソースの利用を許可する。
【手続補正２】
【補正対象書類名】明細書
【補正対象項目名】００９７
【補正方法】変更
【補正の内容】
【００９７】
この非接触ＩＣカードとしては、例えば、FeliCa（商標）のような耐タンパ性の高いＩＣチップが用いられる。なお、共通秘密鍵３１などは、非接触型ではなく接触型のデバイスに格納することも可能である。但し、便利性やデバイスの劣化に対する耐性を考えると、接触型ではなく、非接触型を採用するのが望ましい。
【手続補正３】
【補正対象書類名】明細書
【補正対象項目名】０１５８
【補正方法】変更
【補正の内容】
【０１５８】
即ち、この場合、ステップＳ６３で秘密鍵３５を用いて暗号化された共通秘密鍵３１が、移動端末装置１１−１において、公開鍵３９を用いて正常に復号され、共通秘密鍵３１が得られている。そして、その秘密鍵３３が移動端末装置１１−１において、公開鍵３９を用いて暗号化され、その暗号化されたた共通秘密鍵３１が、親機１２−１において、秘密鍵３５を用いて正常に復号され、共通秘密鍵３３が得られている。
【手続補正４】
【補正対象書類名】明細書
【補正対象項目名】０１６９
【補正方法】変更
【補正の内容】
【０１６９】
ステップＳ７２において、CPU１１１は、移動端末装置１１−１からリソース要求信号が供給されたと判定した場合、ステップＳ７３に進み、リソース送信処理を行い、その後、処理を終了する。リソース送信処理の詳細は、図９と図１０で後述する。
【手続補正５】
【補正対象書類名】明細書
【補正対象項目名】０１７９
【補正方法】変更
【補正の内容】
【０１７９】
図１０は、移動端末装置１１−２がその本親機である親機１２−２と直接無線通信できない場合に、その親機１２−２が図８のステップＳ７３の処理で行うリソース送信処理を説明するフローチャートである。なお、親機１２−２は、認証装置１３から発行された電子証明書（図１１で後述する）を既に受信し、RAM１１３に保持しているものとする。
【手続補正６】
【補正対象書類名】明細書
【補正対象項目名】０１８０
【補正方法】変更
【補正の内容】
【０１８０】
ステップＳ１００において、親機１２−２のCPU１１１は、暗号化した利用権発行要求文と、RAM１１３に保持している電子証明書を作成し、その利用権発行要求文と電子証明書を、移動端末装置１１−２がリソースを利用しようとする本親機でない親機１２−１に送信する。即ち、親機１２−２のCPU１１１は、直接無線通信することができない移動端末装置１１−２から送信されたリソース要求信号に基づいて、リソース情報の識別子と利用方法を明記した利用権発行要求文を作成する。
【手続補正７】
【補正対象書類名】明細書
【補正対象項目名】０１８３
【補正方法】変更
【補正の内容】
【０１８３】
また、移動端末装置１１−２が本親機である親機１２−２に送信するリソース要求信号には、その移動端末装置１１−２がリソースを利用しようとする本親機でない親機１２−１へアクセスするためのアクセス情報が含まれている。そして、親機１２−２は、このアクセス情報に基づいて、利用権発行要求文を親機１２−１に送信する。
【手続補正８】
【補正対象書類名】明細書
【補正対象項目名】０１９３
【補正方法】変更
【補正の内容】
【０１９３】
従って、CPU１１１は、ステップＳ１０８では、親機１２−２のCPU１１１は、暗号/復号部１１７を制御し、RAM１１３に保持した公開鍵４１を用いて、RAM１１３に保持した共通秘密鍵３７を暗号化する。ステップＳ１０８の処理後は、ステップＳ１０９に進み、親機１２−２のCPU１１１は、その暗号化した共通秘密鍵３７を、バリュー発行装置１４に送信し、リターンする。
【手続補正９】
【補正対象書類名】明細書
【補正対象項目名】０１９４
【補正方法】変更
【補正の内容】
【０１９４】
一方、ステップＳ１０７において、親機１２−２のＣＰＵ１１１は、ステップＳ１０６で復号した共通秘密鍵と共通秘密鍵３７が等しくないと判定した場合、バリュー発行装置１４と親機１２−２が通信する間で改ざんがあったと認識し、ステップＳ１１０に進み、バリュー発行装置１４に、バリュー発行装置１４と親機１２−２の関係は正当ではないことを示すエラーを通知してリターンする。
【手続補正１０】
【補正対象書類名】明細書
【補正対象項目名】０１９５
【補正方法】変更
【補正の内容】
【０１９５】
また、ステップＳ１０１において、親機１２−２のCPU１１１は、移動端末装置１１−２がリソースを利用しようとする親機１２−１からのリソース利用条件文と電子証明書を受信していないと判定した場合、ステップＳ１１１に進み、親機１２−１から、後述する図１３のステップＳ１４８で送信されたるリソース利用条件文を発行できないことを示すエラー通知を受信したかどうかを判定する。ステップＳ１１１において、親機１２−２のCPU１１１は、親機１２−１からエラー通知を受信していないと判定した場合、ステップＳ１００に戻り、上述した処理を繰り返す。
【手続補正１１】
【補正対象書類名】明細書
【補正対象項目名】０２０４
【補正方法】変更
【補正の内容】
【０２０４】
一方、ステップＳ１２０において、CPU９１は、移動端末装置１１−２からのブロードキャスト要求を許可しないと判定した場合、ステップＳ１２４に進み、移動端末装置１１―２にブロードキャスト要求を許可しないことを示すエラー通知を送信し、処理を終了する。
【手続補正１２】
【補正対象書類名】明細書
【補正対象項目名】０２３８
【補正方法】変更
【補正の内容】
【０２３８】
ステップＳ１６３において、通信部１３１は、親機１２−２から、図１０のステップＳ１０９で送信された暗号化された共通秘密鍵３７を受信したかどうかを判定する。ステップＳ１６３において、通信部１３１は、親機１２−２から暗号化された共通秘密鍵３７を受信していないと判定した場合、ステップＳ１６４に進み、親機１２−２から、図１０のステップＳ１１０で送信される、バリュー発行装置１４と親機１２−２の関係が正当ではないことを示すエラー通知を受信したかどうかを判定する。ステップＳ１６４において、通信部１３１は、エラー通知を受信していないと判定した場合、ステップＳ１６３に戻り、上述した処理を繰り返す。
【手続補正１３】
【補正対象書類名】明細書
【補正対象項目名】０２３９
【補正方法】変更
【補正の内容】
【０２３９】
ステップＳ１６４において、通信部１３１は、エラー通知を受信したと判定した場合、バリュー発行装置１４と親機１２−２の関係が正当ではないので、ステップＳ１６９において、バリュー移動の不許可を示すエラー通知を送信して処理を終了する。
【手続補正１４】
【補正対象書類名】明細書
【補正対象項目名】０２４２
【補正方法】変更
【補正の内容】
【０２４２】
ステップＳ１６６において、共通秘密鍵認証部１３３は、復号した共通秘密鍵３７と共通秘密鍵４４が等しいと判定した場合、親機１２−２とバリュー発行装置１４の関係は正当であると認識して、ステップＳ１６６からステップＳ１６７に進む。即ち、この場合、親機１２−２において公開鍵４１を用いて暗号化された共通秘密鍵３７が、バリュー発行装置１４において、公開鍵４１に対応する秘密鍵４３を用いて正常に復号され、共通秘密鍵３７が得られているので、バリュー発行装置１４は、親機１２−２とバリュー発行装置１４が通信する間で改ざんが行われていないと認識する。
【手続補正１５】
【補正対象書類名】明細書
【補正対象項目名】０２４７
【補正方法】変更
【補正の内容】
【０２４７】
一方、ステップＳ１６６において、共通秘密鍵認証部１３３は、ステップＳ１６５で復号した共通秘密鍵と共通秘密鍵４４が等しくないと判定した場合、親機１２−２とバリュー発行装置１４の関係は正当ではないので、ステップＳ１６９において、バリュー移動の不許可を示すエラー通知を送信して処理を終了する。
【手続補正１６】
【補正対象書類名】明細書
【補正対象項目名】０２８５
【補正方法】変更
【補正の内容】
【０２８５】
ステップＳ３１９において、親機１２−２は、バリュー発行装置１４から、暗号化された共通秘密鍵４４を受信し、その暗号化された共通秘密鍵４４を復号する。親機１２−２は、復号した共通秘密鍵４４から、親機１２−２とバリュー発行装置１４の関係が正当であるかどうかを判定する。この例の場合、親機１２−２とバリュー発行装置１４の関係は正当であるので、ステップＳ３２０において、親機１２−２は、共通秘密鍵３７を暗号化し、暗号化した共通秘密鍵３７をバリュー発行装置１４に送信する。
【手続補正１７】
【補正対象書類名】明細書
【補正対象項目名】０２８６
【補正方法】変更
【補正の内容】
【０２８６】
ステップＳ３４３において、バリュー発行装置１４は、親機１２−２から暗号化された共通秘密鍵３７を受信し、その暗号化された共通秘密鍵３７を復号する。バリュー発行装置１４は、復号した共通秘密鍵３７から、バリュー発行装置１４と親機１２−２の関係が正当であるかどうかを判定する。この例の場合、バリュー発行装置１４と親機１２−２の関係は正当であるので、ステップＳ３４４において、バリュー発行装置１４は、ステップＳ３４１で受信したバリュー移動要求に応じてバリューを移動し、即ち、ここでは、親機１２−１のユーザから親機１２−２のユーザにバリューを移動し、バリューが移動されたことを示す振込み通知と電子証明書を、親機１２−２に送信する。
【手続補正１８】
【補正対象書類名】明細書
【補正対象項目名】０３２３
【補正方法】変更
【補正の内容】
【０３２３】
このようなホームサーバ２０２−１からのデータは、ステップＳ４０４において、移動端末装置２０１−２に受信され、記憶される。ステップＳ４０５において、移動端末装置２０１−２は、ホームサーバ２０２−１に対してリソース要求を出す。移動端末装置２０１−２は、先程の処理で、ホームサーバ２０２−１のアドレスを取得し記憶しているため、ホームサーバ２０２−１と通信することができる状態とされている。なお、この通信の際、必要に応じ、ホームサーバ２０２−１から与えられたＩＤも用いられる。
【手続補正１９】
【補正対象書類名】明細書
【補正対象項目名】０３４２
【補正方法】変更
【補正の内容】
【０３４２】
ステップＳ４１０において、ホームサーバ２０２−２から使用権を受信した移動端末装置２０１−２は、ステップＳ４１１において、ＰＣ２０３に対して、使用権を提示する。この提示は、ホームサーバ２０２−１を介して行われても良いし、直接的に近距離無線通信などが用いられて行われるようにしても良い。使用権を提示されたＰＣ２０３は、ステップＳ４５５において、まず、ホームサーバ２０２−１から渡された使用権と、移動端末装置２０１−２から提示された使用権が一致するか否かを判断する。
【手続補正２０】
【補正対象書類名】明細書
【補正対象項目名】０３４３
【補正方法】変更
【補正の内容】
【０３４３】
使用権が一致すると判断された場合、ステップＳ４５６において、ＰＣ２０３は、移動端末装置２０１−２に対してアクセス許可を通知する。なお、使用権が一致しないと判断された場合、ＰＣ２０３は、アクセス許可を通知しない（アクセス許可をしないということを通知するようにしても良い）。
【手続補正２１】
【補正対象書類名】明細書
【補正対象項目名】０３４４
【補正方法】変更
【補正の内容】
【０３４４】
ＰＣ２０３は、アクセス許可を通知することにより、また、移動端末装置２０１−２は、アクセス許可を通知されることにより、互いにデータの授受が行える状態とされる。すなわち、ＰＣ２０３は、移動端末装置２０１−２からの操作指示を受け入れる状態とされる。このように、移動端末装置２０１−２で、ＰＣ２０３を操作できる状態とされた場合、移動端末装置２０１−２の所有者であるユーザＢの嗜好が反映された形でＰＣ２０３を操作できるようにするための情報が、移動端末装置２０１−２からＰＣ２０３に対して通知される。
【手続補正２２】
【補正対象書類名】明細書
【補正対象項目名】０３４５
【補正方法】変更
【補正の内容】
【０３４５】
すなわち、ステップＳ４１３において、移動端末装置２０１−２は、ＰＣ２０３に対して、自己が管理しているユーザＢの嗜好情報を通知する。ＰＣ２０３は、そのような嗜好情報を受信すると、その嗜好情報に基づき、ユーザＢ用にカスタマイズされた環境を構築する。例えば、嗜好情報として、ユーザＢがいつも使用しているログイン画面に関する情報が通知された場合、その画面がログイン時にＰＣ２０３のディスプレイ（不図示）上に表示される。